(57)【特許請求の範囲】
【請求項１】
撮影レンズと撮影釦とズームとを有するカメラであって、凸面鏡によって自己撮影する際に該凸面鏡をファインダーとして利用して自己撮影可能に構成されたカメラにおいて、
上記凸面鏡は、上記カメラがズームを広角いっぱいの状態で写す範囲とほぼ同じ範囲の自画像を反射させて、目視できるように形成されているとともに、
上記凸面鏡が自画像等の被写体を写し出す状態にしたときにオンになるように構成されたスイッチを有し、該スイッチがオンの状態のときに上記撮影釦が操作されたときには、ズームを広角いっぱいに移動させたのちに撮影が開始されるように構成したことを特徴とするカメラ。
【請求項２】
請求項１記載のカメラにおいて、上記凸面鏡はハーフミラー状の凸面鏡であって、上記撮像レンズの前方に配置可能に構成したことを特徴とするカメラ。
【請求項３】
請求項２記載のカメラにおいて、上記ハーフミラー状の凸面鏡の光軸の軸心と上記撮像レンズの光軸の軸心とが一致するように構成したことを特徴とするカメラ。
【請求項４】
請求項２記載のカメラにおいて、上記ハーフミラー状の凸面鏡においては上記凸面ハーフミラーの内側曲面側に該凸面ハーフミラーの内側曲面に対する内部反射光を除去する無反射フィルターを設けたことを特徴とするカメラ。
【請求項５】
請求項４記載のカメラにおいて、上記無反射フィルターを円偏光板により構成したことを特徴とするカメラ。
【発明の詳細な説明】
【０００１】
【発明の属する技術分野】
この発明は、撮影レンズの前方に自画像等の被写体を写し出す凸面ハーフミラー（ハーフミラー状の凸面鏡）を配置し、この凸面ハーフミラーをファインダーとして使用できるようにしたビデオカメラや銀塩フィルムを用いるスチルカメラ等のカメラに関する。
【０００２】
【従来の技術】
例えば、ビデオカメラの撮影レンズの前方に自分自身の姿を写し出す凸面ハーフミラーを配設したテレビ電話装置が開示されている（例えば、特許文献１参照）。
【０００３】
【特許文献１】
実開平０２−１３０１８１号公報。
【０００４】
上記文献の概略構成を、図９によって簡単に説明すると、１００はテレビ電話装置の外筐である。この外筐１００内に設けられたビデオカメラ１０１の撮影レンズ１０２の前方の該外筐１００の前面上側の開口部１００ａには凸面ハーフミラー（ハーフミラー状の凸面鏡）１０３を取付けてある。そして、この凸面ハーフミラー１０３の外側曲面がビデオカメラ１０１で写す範囲とほぼ同じ範囲の自画像を反射させて目視できるように形成されている。
【０００５】
【発明が解決しようとする課題】
上記従来のテレビ電話装置では、凸面ハーフミラー１０３をビデオカメラ１０１の撮影レンズ１０２の前方の外筐１００の開口部１０１ａに配設し、ビデオカメラ１０１で撮影している部分を凸面ハーフミラー１０３に写る反射像により知って自画像を撮影するものであるが、この構造では、図１０に示すように、上記凸面ハーフミラー１０３の表面（外側曲面）に天井の蛍光灯等の照明光がいわゆるゴースト状の輝く形１０４となって現れ（特にテレビ画面の暗い部分に相当する部分に現れ）、ビデオカメラ１０１に記録されてしまう欠点があった。これは、図９に点線で示すように、凸面ハーフミラー１０３から入射した光Ｈが撮影レンズ１０２で一部反射され、この反射されたかなりの部分の内部反射光Ｈ′が凸面ハーフミラー１０３の裏面（内側曲面）で反射されて撮影レンズ１０２に再入射されるために起こる現象であり、テレビ画面に映し出された映像を大変見にくくしている。
【０００６】
そこで、この発明は、凸面ハーフミラーの内部反射を除去して照明等の光がゴースト状に写り込むことを防ぐことがができるカメラを提供し、また、自己撮影する際には、ズームが広角いっぱいに移動した後に撮影が開始されるカメラを提供するものである。
【０００７】
【課題を解決するための手段】
本発明は、撮影レンズと撮影釦とズームとを有するカメラであって、凸面鏡によって自己撮影する際に該凸面鏡をファインダーとして利用して自己撮影可能に構成されたカメラにおいて、上記凸面鏡は、上記カメラがズームを広角いっぱいの状態で写す範囲とほぼ同じ範囲の自画像を反射させて、目視できるように形成されているとともに、上記凸面鏡が自画像等の被写体を写し出す状態にしたときにオンになるように構成されたスイッチを有し、該スイッチがオンの状態のときに上記撮影釦が操作されたときには、ズームを広角いっぱいに移動させたのちに撮影が開始されるように構成したことを特徴とする。
【０００８】
カメラ本体の撮像レンズ側を手前にして自分自身の前方にカメラ本体を持って自己撮影する際に、凸面鏡に自画像等の被写体が写し出されるので、凸面鏡をファインダーとして利用して自己撮影することができる。そして、凸面鏡に自画像等の被写体が写し出される状態にすると、スイッチがオンになり、その状態で撮影釦が操作されると、自動的にズームが広角いっぱいに移動し、その後に自己撮影が開始される。
【０００９】
【発明の実施の形態】
以下、この発明の実施例を図面と共に詳述する。
【００１０】
図４において、１はカメラとしてのビデオカメラを示す。このビデオカメラ１は、略直方体形のカメラ本体２の右側面のグリップ部側が図示しないテープカセットの磁気テープに被写体を録画するＶＴＲデッキ部２ａになっていると共に、左側面上側に録画中の被写体の状態を確認する電子式のビューファインダー３を備えている。さらに、カメラ本体２の前面上側にはマイクロフォン４を突設してあると共に、その左下側には撮影レンズ５や図示しない撮像素子（ＣＣＤ）等を有する円筒状のレンズ鏡胴６を内蔵してある。
【００１１】
また、カメラ本体２の上面後側にはズーム釦７を設けてあると共に、カメラ本体２の背面には撮影釦としての撮影スタート／ストップ釦８や図示しないバッテリーを備えている。この撮影スタート／ストップ釦８は、スイッチ４０がオンのときは最初の押圧操作により撮影レンズ５等からなるズームレンズをワイド端（広角いっぱいの状態）側に一旦移動させたのちに録画を開始させると共に、再度の押圧操作によりその録画を停止させるようになっている。
【００１２】
図１に示すように、カメラ本体２の前面側（レンズ鏡胴６の前端に対向する位置）に形成されたねじ孔部２ｂに、自画像等の被写体を写し出すフィルター１０を着脱自在に螺合してある。このカメラ本体２のねじ孔部２ｂには撮影レンズ５に入る光量を調整する図示しない略円板状の光量調整フィルターや広角用或は望遠用のコンバージョンレンズが嵌め込まれるようになっているが、図１，２に示すように、上記フィルター１０は上記光量調整フィルター等と同様の形をしているが、外形が根元までより大きな形をしている。即ち、フィルター１０は、合成樹脂等からなる円筒状の鏡筒１１と、この鏡筒１１内の前側に回転自在に嵌合，支持された凸面ハーフミラー（ハーフミラー状の凸面鏡）１２と、上記鏡筒１１内の凸面ハーフミラー１２の後側において該凸面ハーフミラー１２と共に回転自在に嵌合，支持された無反射フィルター１３とで構成されている。このフィルター１０をカメラ本体２に嵌め込むと鏡筒１１がスイッチ４０の突起部４０ａを押し、該フィルター１０を付けたときのみスイッチ４０がオンになるようになっている。
【００１３】
図１，２に示すように、鏡筒１１の外周面の後側には、カメラ本体２のねじ孔部２ｂに螺合するねじ部１１ｂを形成してある。図１，２に示すように、凸面ハーフミラー１２は外側に湾曲した光透過率７０％のものであり、ビデオカメラ１の撮影レンズ５と略等しい画角が得られるような曲率に形成してある。この凸面ハーフミラー１２の表面（外側曲面）１２ａには角形の画枠１２ｃを印刷してある。この画枠１２ｃは、ビデオカメラ１で撮る範囲とほぼ同じ範囲の自画像等の被写体を反射させて目視できる大きさに形成してある。即ち、凸面ハーフミラー１２の画枠１２ｃの大きさは、ビデオカメラ１の広角いっぱいの状態（ワイド端）で撮影される映像の大きさ（再生時にＴＶモニター等で表示される画面）と略同じかやや小さく形成してある。また、凸面ハーフミラー１２の画枠１２ｃの位置はフィルター１０をカメラ本体２のねじ孔部２ｂに螺着した後で、凸面ハーフミラー１２を鏡筒１１に対して回転させることにより正しい位置に合わすことができるようになっている。さらに、図１に示すように、フィルター１０をカメラ本体２のねじ孔部２ｂに螺合した時に、ファインダーとして使用される凸面ハーフミラー１２の光軸の軸芯と撮影レンズ５の光軸の軸芯とが完全に一致するように形成してある。これにより、パララックスが発生しないようになっている。
【００１４】
図１，３に示すように、無反射フィルター１３は、前，後のマルチコーティングガラス１３ａ，１３ｂ間に１／４波長フィルム１３ｃと直線偏光フィルム１３ｄとを挾んで一体となった円板形をしている。この１／４波長フィルム１３ｃは直線偏光フィルム１３ｄに対して４５°光軸がずれた複屈折板である。これら１／４波長フィルム１３ｃと直線偏光フィルム１３ｄで円偏光板を構成しており、この円偏光板により凸面ハーフミラー１２より入射されて撮影レンズ５により反射された内部反射光Ｈ′が凸面ハーフミラー１２の裏面（内側曲面）１２ｂにより再反射されて撮影レンズ５を通してビデオカメラ１に記録されるのを防ぐようになっている。尚、マルチコーティングガラス１３ａ，１３ｂは真空蒸着加工によって多層膜コーティングしたガラスである。また、図３中、網掛け部分は凸面ハーフミラー１２のコート面を示す。この凸面ハーフミラー１２は、凸面鏡状のガラス体の内側曲面（凹球面）にハーフミラー部分を蒸着により形成したものでもよい。
【００１５】
以上実施例のビデオカメラ１によれば、図４に示すように、例えば自分自身の姿を撮影したい場合に、ビデオカメラ１を左手に持ち替えてフィルター１０側を手前にして撮影する。このとき、ビデオカメラ１のカメラ本体２に取付けられたフィルター１０の凸面ハーフミラー１２の表面１２ａに自画像が被写体となって写し出されるので、当該凸面ハーフミラー１２をファインダーとして利用することができ、その画枠１２ｃにより自画像の画面上での位置即ち撮影状態を確認することができる。そして、左手の人指し指等で撮影スタート／ストップ釦８を押すことにより自画像を撮影することができる。この撮影スタート／ストップ釦８を押すと、一旦自動的にビデオカメラ１のズームが広角いっぱいになったのちに録画を開始する。そのため、ズームが望遠になっているのに気付かずに録画して、顔の一部しか写らなかったということはなく、だれでも間違いなく簡単に自画像を撮ることができる。さらに、凸面ハーフミラー１２の光軸の軸芯と撮影レンズ５の光軸の軸芯とが完全に一致するようになっているので、パララックスが発生することはない。これにより、自己撮影したものを再生したときに、目線のズレがなく、異和感のない良好な自己撮影が可能となる。
【００１６】
また、フィルター１０に入射した太陽光や照明等の光Ｈは、フィルター１０に無反射フィルター１３が設けられていない場合には撮影レンズ５で反射された光の３０％が凸面ハーフミラー１２の裏面１２ｂによって再反射されて撮影レンズ５に再び入って来るが、図１，３に示す本実施例のように、フィルター１０に無反射フィルター１３が設けられている場合には、フィルター１０を入射した光Ｈは凸面ハーフミラー１２を通ったあと直線偏光フィルム１３ｄで直線偏光がかけられ、この光Ｈが撮影レンズ５で一部直線偏光フィルム１３ｄ側へ反射される。この撮影レンズ５で反射された内部反射光Ｈ′は直線偏光フィルム１３ｄでは同じ偏光方向なので該直線偏光フィルム１３ｄを素通りする。次に、１／４波長フィルム１３ｃを内部反射光Ｈ′が通ることによって垂直成分と水平成分の位相差が９０°となって円偏波に変わる。これが凸面ハーフミラー１２の裏面１２ｂで再反射されると進行方向に対して逆回りの円偏波に変わる。さらに１／４波長フィルム１３ｃを通過すると入射したときの直線偏波と直交する直交偏波に戻される。するとこの内部反射光Ｈ′は直線偏光フィルム１３ｄと直線偏光方向が直交するので通り抜けができなくなり除去される。このように、フィルター１０の凸面ハーフミラー１２の裏面１２ｂ側に該凸面ハーフミラー１２の裏面１２ｂに対する内部反射光Ｈ′を除去する無反射フィルター１３を設けたので、凸面ハーフミラー１２の裏面１２ｂによる内部反射光Ｈ′が無反射フィルター１３の円偏光板により確実に除去されて再び撮影レンズ５に入射されることがない。これにより、上記内部反射光Ｈ′によるいわゆるゴースト状に輝く形のものが被写体の一部としてビデオカメラ１により撮影されることない。
【００１７】
図５，６は、他の実施例のフィルター２０を示す。このフィルター２０は、コンバージョンレンズとしてのワイドコンバージョンレンズ３０の外周面の前側に回転自在に支持してある。このワイドコンバージョンレンズ３０は、合成樹脂等からなる円筒状の鏡筒３１と、この鏡筒３１に嵌合された３群の広角レンズ３２とで構成され、鏡筒３１の後側のねじ部３１ｂを介してビデオカメラ１のカメラ本体２のねじ孔部２ｂに着脱自在に螺着されるようになっている。
【００１８】
このワイドコンバージョンレンズ３０の鏡筒３１の外周面の前側に上記フィルター２０の鏡筒２１を回転自在に支持してある。このフィルター２０は、合成樹脂等からなる円筒状の鏡筒２１と、この鏡筒２１内の前側に嵌合された反射率３０％の凸面ハーフミラー（ハーフミラー状の凸面鏡）２２と、上記鏡筒２１内の凸面ハーフミラー２２の後側に嵌合された無反射フィルター２３とで構成されている。鏡筒２１の内周面の後部に環状に突出した鍔部２１ａがワイドコンバージョンレンズ３０の鏡筒３１の外周面の前側に形成された環状の溝部３１ａに遊嵌されて回転自在に支持されている。そして、フィルター２０はその鏡筒２１の外周面に突出したつまみ２４を介してワイドコンバージョンレンズ３０の鏡筒３１に対して手動により回転するようになっている。
【００１９】
図５，７に示すように、無反射フィルター２３は、前，後のマルチコーティングガラス２３ａ，２３ｂ間に直線偏光フィルム２３ｃと１／４波長フィルム２３ｄとを挾んで一体となった円板形をしている。これら直線偏光フィルム２３ｃと１／４波長フィルム２３ｄとで円偏光板を構成しており、この円偏光板により凸面ハーフミラー２２の表面２２ａ側より入射されてワイドコンバージョンレンズ３０の広角レンズ３２と撮影レンズ５により反射された内部反射光Ｈ′が直線偏光フィルム２３ｃにおいて通り抜けできなくなって凸面ハーフミラー２２の裏面２２ｂ側への入射光が除去され、上記内部反射光Ｈが凸面ハーフミラー２２の裏面２２ｂ側には到達しない。これにより、上記内部反射光Ｈによるいわゆるゴースト状に輝く形のものが被写体の一部としてビデオカメラ１に撮影されることない。尚、図７中、網掛け部分は凸面ハーフミラー２２のコート面を示す。この凸面ハーフミラー２２は、凸面鏡状のガラス体の外側曲面（凸球面）にハーフミラー部分を蒸着により形成したものでもよい。
【００２０】
図８に示すように、ビデオカメラ１のカメラ本体２のねじ孔部２ｂに螺着したワイドコンバージョンレンズ３０にはフィルター２０が取付けられているので、ビデオカメラ１を持った時、ズームをワイド側にすれば自分自身も風景も入る丁度良い画角になっている。このフィルター２０の光量は、原理的にはハーフミラー透過率７０％×直線偏光板５０％＝３５％以下となるが、屋外や明るい室内では十分撮影可能である。暗い所では外せばよい。
【００２１】
また、フィルター２０をワイドコンバージョンレンズ３０に対して回転可能にしたので、フィルター２０をいわゆる偏光フィルターとして使用することができる。これにより、ショーウィンドー等のガラス面の反射光を除去したり、風景を撮影するとき、空の青、樹葉、山肌、建物等の色彩を鮮やかに描写する色彩コントラスト効果を得ることができる。
【００２２】
尚、前記各実施例によれば、カメラとしてビデオカメラについて説明したが、カメラはビデオカメラに限られるものではなく、銀塩フィルムを用いるスチルカメラに適用できることは勿論である。また、凸面ハーフミラーと無反射フィルターとは別の部品で構成したが、凸面ハーフミラーの裏面に円偏光板を一体形成することにより構成してもよい。さらに、ワイドコンバージョンレンズの広角レンズ群の最も外側のレンズの内面である凹球面にハーフミラー部分を蒸着により構成し、このハーフミラーにさらに円偏光板を一体に形成するようにしてもよい。さらにまた、無反射フィルターの１／４波長フィルムと直線偏光フィルムとから成る円偏光板の代わりに、中性灰色（ＮＤ）フィルターを用いてもよい。この場合、内部反射光を完全に除去することはできないが、より目立たなくすることはできる。
【００２３】
【発明の効果】
以上のように、本発明によれば、撮影レンズと撮影釦とズームとを有するカメラであって、凸面鏡によって自己撮影する際に該凸面鏡をファインダーとして利用して自己撮影可能に構成されたカメラにおいて、上記凸面鏡は、上記カメラがズームを広角いっぱいの状態で写す範囲とほぼ同じ範囲の自画像を反射させて、目視できるように形成されているとともに、上記凸面鏡が自画像等の被写体を写し出す状態にしたときにオンになるように構成されたスイッチを有し、該スイッチがオンの状態のときに上記撮影釦が操作されたときには、ズームを広角いっぱいに移動させたのちに撮影が開始されるように構成したので、自己撮影を行なう際に凸面鏡に自画像を写し出せる状態にするとスイッチがオンとなり、撮影釦が操作されるとズームが広角いっぱいに移動したのちに自己撮影が開始される。このため、ズームが望遠になった状態のままで自己撮影を行なってしまい、再生したときに顔の一部しか写っていなかったという事態が未然に防止される。
【００２４】
また、上記凸面鏡はハーフミラー状の凸面鏡であって、上記撮像レンズの前方に配置可能に構成したので、凸面ハーフミラーをファインダーとして用いることができる。
【００２５】
更に、上記ハーフミラー状の凸面鏡の光軸の軸心と上記撮像レンズの光軸の軸心とが一致するように構成したので、パララックスの発生が防止され、自己撮影したものを再生したときに目線のズレがなく、違和感のない良好な自己撮影が可能となる。
【００２６】
また更に、上記ハーフミラー状の凸面鏡においては上記凸面ハーフミラーの内側曲面側に該凸面ハーフミラーの内側曲面に対する内部反射光を除去する無反射フィルターを設けたので、凸面鏡に自画像を写し出して自己撮影を行なう際に、撮影レンズで反射された内部反射光が凸面ハーフミラーの内側曲面で再反射されて撮影レンズに入射するのを防ぐことができる。これにより、内部反射光によるいわゆるゴースト状に輝く形のものが被写体の一部として撮影されることはない。
【図面の簡単な説明】
【図１】この発明の実施例のビデオカメラに使用される凸面ハーフミラーの断面図。
【図２】上記凸面ハーフミラーの斜視図。
【図３】上記凸面ハーフミラーの光学的な原理説明図。
【図４】上記凸面ハーフミラーを用いたビデオカメラの使用状態を示す斜視図。
【図５】上記ビデオカメラに使用される他の実施例の凸面ハーフミラーの断面図。
【図６】上記他の実施例の凸面ハーフミラーの斜視図。
【図７】上記他の実施例の凸面ハーフミラーの光学的な原理説明図。
【図８】上記他の実施例の凸面ハーフミラーを用いたビデオカメラの使用状態を示す斜視図。
【図９】従来例のテレビ電話装置の概略構成図。
【図１０】上記従来例のテレビ電話装置に用いられる凸面ハーフミラーに写し出された被写体の説明図。
【符号の説明】
１…ビデオカメラ
５…撮影レンズ
８…撮影スタート／ストップ釦
１２，２２…凸面ハーフミラー
１３，２３…無反射フィルター
４０…スイッチ
【図１】
0003726799.tif 000002
【図２】
0003726799.tif 000003
【図３】
0003726799.tif 000004
【図４】
0003726799.tif 000005
【図５】
0003726799.tif 000006
【図６】
0003726799.tif 000007
【図７】
0003726799.tif 000008
【図８】
0003726799.tif 000009
【図９】
0003726799.tif 000010
【図１０】
0003726799.tif 000011